(57)【要約】物品を計量配分するための装置であって、ｎ個の容器を備えた搬送部材と、ここで、ｎ−ｍ個の前記容器が物品を受け入れるのに適しており、前記容器は物品受け入れ位置と物品計量分配位置の間で移動可能であって、前記容器内の物品の存在を感知し、前記受け入れ位置と前記計量配分位置との間に位置決めされたセンサと、を備える。ｍ個の前記容器は、物品を受け入れることができないブランク容器であり、前記センサは、ｎ個の前記容器がセンサを通過した時点での搬送された検出可能な物品の最大数がｎ−ｍ個となるように、空容器と前記ブランク容器とを区別することができない。ここで、ｍは少なくとも１個である。
2016504141.tif 000002
【特許請求の範囲】
【請求項１】
物品を計量配分するための装置であって、
ｎ個の容器を備えた搬送部材と、ここで、ｎ−ｍ個の前記容器が物品を受け入れるのに適しており、前記容器は物品受け入れ位置と物品計量分配位置の間で移動可能であって、
前記容器内の物品の存在を感知し、前記受け入れ位置と前記計量配分位置との間に位置決めされたセンサと、
を備え、
ｍ個の前記容器は、物品を受け入れることができないブランク容器であり、
前記センサは、ｎ個の前記容器がセンサを通過した時点での搬送された検出可能な物品の最大数がｎ−ｍ個となるように、空容器を前記ブランク容器と同等であると検出するように構成されており、ここで、ｍは少なくとも１個である、装置。
【請求項２】
前記搬送部材は、前記容器を略環状の経路で搬送するように構成されている、請求項１に記載の装置。
【請求項３】
前記物品を受け入れるための容器の各々は、略同一サイズの単一の物品を受け入れるように構成されている、請求項１または２に記載の装置。
【請求項４】
前記ブランク容器は、例えばバッフルにより作動解除される容器を備える、請求項１〜３のうちいずれか一項に記載の装置。
【請求項５】
前記バッフルは、前記容器の１以上の画定壁と一体的に形成されている、請求項４に記載の装置。
【請求項６】
前記センサは、光電セルを備える、請求項１〜５のうちいずれか一項に記載の装置。
【請求項７】
前記ブランク容器に含まれたバッフルは、少なくとも前記光電セルにより検出可能な光の波長範囲に対して透明である、請求項１〜６のうちいずれか一項に記載の装置。
【請求項８】
赤外線が前記光電セルに対して検出可能である、請求項６または７に記載の装置。
【請求項９】
計量分配されるべき物品格納用の格納室が収容または収納可能であるハウジングをさらに備える、請求項１〜８のうちいずれか一項に記載の装置。
【請求項１０】
前記格納室は、前記ハウジング内に手動または自動で解除可能に係合する着脱可能なカセット内に配設されている、請求項９に記載の装置。
【請求項１１】
前記装置は、前記格納室からコンベヤによって供給された物品を収集し保持する計量配分室を備え、
前記計量配分室は、計量配分出口を含む、請求項１〜１０のうちいずれか一項に記載の装置
【請求項１２】
前記計量配分出口は、前記計量配分室に保持された薬剤を計量配分するために選択的に開放可能である、請求項１１に記載の装置。
【請求項１３】
前記計量配分室は、前記計量配分出口が閉鎖されている第１の位置と、前記計量配分出口が開放されている第２の位置との間で選択的に移動可能である、請求項１１または１２に記載の装置。
【請求項１４】
前記計量配分器は、前記計量配分室の第１の位置と第２の位置の間での移動を生じさせるモータをさらに含む、請求項１３に記載の装置。
【請求項１５】
前記容器のうち１以上における物品の有無を示す前記センサからのデータを受信するように構成されたプロセッサをさらに備える、請求項１〜１４のうちいずれか一項に記載の装置。
【請求項１６】
前記プロセッサは、前記センサがｎ個の容器が前記コンベヤを通過した時点で搬送されたｎ個の物品の存在を示した場合に警告を出すように構成されており、
当該警告はセンサの誤作動を示すものである、請求項１５に記載の装置。
【請求項１７】
前記警告は可聴警告、振動する警告などの動的警告、書面または図柄の警告などの視覚的警告または照明された発光装置のうち１以上を含む、請求項１６に記載の装置。
【請求項１８】
前記プロセッサは、所定期間中および所定時点に計量分配された物品の個数を示す情報を計算し格納するように構成されている、請求項１５〜１７のうちいずれか一項に記載の装置。
【請求項１９】
前記容器を前記受け入れ位置と前記計量配分位置の間で搬送するように前記コンベヤを動作させるモータをさらに備える、請求項１〜１８のうちいずれか一項に記載の装置。
【請求項２０】
前記モータは、前記コンベヤの有効長さの１／ｎ増加分だけ前記コンベヤを移動させるように作動可能である、請求項１９に記載の装置。
【請求項２１】
前記モータは、前記プロセッサと通信状態に、かつ少なくとも部分的に前記プロセッサによって制御可能に配置されている、請求項１９または２０に記載の装置。
【請求項２２】
前記プロセッサは、１以上の所定時点に所定数の物品を計量分配するようにモータを作動させるよう構成されている、請求項２１に記載の装置。
【請求項２３】
前記プロセッサは、計量分配されるべき物品の個数と、それらの物品が計量分配されるべき１以上の時間を提供するようにプログラム可能である、請求項２２に記載の装置。
【請求項２４】
前記プロセッサは、統合されたキーボードもしくはグラフィカルユーザインターフェースによって、または遠隔の第２のプロセッサ（例えばパーソナルコンピュータもしくはサーバ）との通信によってプログラム可能である、請求項２３に記載の装置。
【請求項２５】
前記プロセッサは、
物品を一切計量配分せずに、前記モータを作動させることで前記検出器を通過するようにｎ個の容器を移動させ、
（ｉ）装置によって計量分配される残りの物品の個数と（ｉｉ）センサの機能のうち一方または両方を示すデータを提供するように前記容器内に保持された物品の個数を評価する
ことを含むテストルーチンを実行するように構成されている請求項２１〜２４のうちいずれか一項に記載の装置。
【請求項２６】
前記プロセッサは、物品の計量配分が予定されていない時間に前記テストルーチンを実行するように構成されている請求項２５に記載の装置。
【請求項２７】
請求項１〜２６のうちいずれか一項に記載の装置を備え、前記物品は複数の個別の薬剤を含む、投薬計量配分装置。
【請求項２８】
複数の個別の薬剤を収容している、請求項２７に記載の投薬計量配分装置。
【請求項２９】
薬剤の意図された投薬は、ｎ−ｍ個より多い錠剤を含んでいる、請求項２７または２８に記載の投薬計量配分装置。
【請求項３０】
所定の最大数までの物品を所定期間中に計量配分するように構成された、請求項１〜２９のうちいずれか一項に記載の装置。
【請求項３１】
請求項１〜３０のうちいずれか一項に記載の装置での使用に適合した複数の個別の薬剤。
【請求項３２】
（ｉ）センサを通過するようにｎ個の容器を移動させることで、物品を収容している当該容器の個数を検出する工程と、ここで、ｎ−ｍ個の前記容器が物品を保持するのに適しており、物品を保持するのに適していないｍ個の前記容器は、物品を保持するのに適した空容器と同等なものとして前記センサにより検出可能であって、
（ｉｉ）物品を収容しているものとして検出された前記容器の個数がｎ−ｍ個より多い場合に使用者に警告を与える工程と、
を含む、センサの故障を識別する方法。
【請求項３３】
前記容器から物品が全く計量分配されない、請求項３２に記載の方法。
【請求項３４】
２以上（例えば３以上、４以上、５以上または６以上）の隣接した容器に物品が全く検出されない場合に使用者に警告を与える工程を含む、請求項３２または３３に記載の方法。
【請求項３５】
（ｉ）ｎ個の容器を受け入れ位置から計量配分位置に移動させる工程と、ここで、ｎ−ｍ個の前記容器は物品を保持するのに適しており、物品を保持するのに適していないｍ個の容器は、物品を保持するのに適した空容器と同等なものとしてセンサにより検出可能とされ、前記センサは、前記受け入れ位置と前記計量配分位置の間に位置決めされ、
（ｉｉ）前記センサを用いて、物品を収容している前記容器の個数を検出する工程と、
（ｉｉｉ）物品を収容しているものとして検出された前記容器の個数がｎ−ｍ個より多い場合に使用者に警告を与える工程と、
を含む、装置から物品を計量配分する方法。
【請求項３６】
所定の最大数までの物品を所定期間中に計量配分する工程を含む、請求項３５に記載の方法。
【請求項３７】
例えば請求項１〜３０のうちいずれか一項に記載の装置に組み込まれた場合に、請求項３２〜３６のうちいずれか一項に記載の方法を実行するように構成されたハードウェアモジュール。
【請求項３８】
コンピュータ上で実行されたときに、前記コンピュータに、回路、コントローラ、コンバータまたは本明細書に開示される装置を含む装置を構成させる、
または請求項３２〜３６のうちいずれか一項に記載の方法を実行させるコンピュータプログラム。
【請求項３９】
添付の図面を参照して本明細書に説明された装置。
【請求項４０】
本明細書に説明された方法。
【発明の詳細な説明】
【技術分野】
【０００１】
本発明は、医薬錠剤を含む物品を計量配分するための装置等の計量配分装置に関する。
【背景技術】
【０００２】
パーキンソン病、てんかん、癌、うつ病、精神分裂病、注意欠陥・多動性障害（ＡＤＨＤ）ならびにその他の神経行動障害、糖尿病、関節炎およびぜんそく、ならびに抗凝血剤、抗不整脈剤および／または鎮痛剤を要する疾患等であるがそれらに限定されないいくつかの慢性疾患を治療または管理するために使用される薬物療法は、治療濃度域が狭いことが多く、投薬が最適でなかった場合に重篤な副作用をもたらす。
【０００３】
したがって投薬のタイミングならびに投薬量は、薬物レベルを望ましいレベルに維持するために重要であり、また、投与された投薬が可能な限り正確であることは、さもなければ過剰、過少、または不正確な投薬から生じうる影響を低減するために重要である。
【０００４】
本明細書における明らかな先行発行文献の羅列または議論は、必ずしもその文献が先行技術または一般的知見の一部であるという自認として受け取られるべきではない。
【０００５】
特許文献１は、可能な限り正確な投薬を投与するために、同様に大きな単位量から一人の患者に薬剤を投薬する手順、または、単一の錠剤またはペレットの形態の薬剤の部分的投薬の手順を記載しており、そこで、各単位または部分的投薬は、単一の機会に患者に投与されるべき治療上の総投薬の約２０〜約２重量パーセントを含む。
【０００６】
この手順は、薬剤の単一の供給からの高度に可変な薬剤の計量配分を可能にする。
【０００７】
特許文献１に記載されたものと同様な装置は、使用者が薬物療法の正しい投薬を提供されていることを保証する計数センサまたは機構を典型的に含む。しかし、計数センサまたは機構が誤作動した場合、装置は使用者に薬物療法の不正確な投薬を提供する可能性がある。これは、計量分配された各錠剤が、少量の部分的投薬のみを提供するという特定の問題を呈するが、それは、例えば１２錠が必要であるのに対し９錠のみが計量分配されていることが、使用者には即座にわかり得ないからである。しかも、特定の治療を受けている使用者は、通常計量分配されるものと異なって計量分配された投薬が誤っていることに混乱するかまたは気付かない可能性がある。
【先行技術文献】
【特許文献】
【０００８】
【特許文献１】欧州特許第１０５８６６０号明細書
【発明の概要】
【発明が解決しようとする課題】
【０００９】
本発明はこの課題に対処することを追及する。
【課題を解決するための手段】
【００１０】
第１の態様において、本発明は物品を計量配分する装置を提供し、
当該装置は、
ｎ個の容器を備え、そのうちｎ−ｍ個が物品を受け入れるのに適しており、前記容器は物品受け入れ位置と物品計量分配位置の間で移動可能である搬送部材と、
容器内の物品の存在を感知し、前記受け入れ位置と前記計量配分位置との間に配置されたセンサと、を備え、
前記容器のうちｍ個は物品を受け入れられないブランク容器であり、
前記センサは、ｎ個の容器がセンサを通過した時点での搬送された検出可能な物品の最大数がｎ−ｍ個となるように、空容器とブランク容器を区別できず、ｍは少なくとも１個である。
【００１１】
計量配分装置に、計量分配された物品を計数するためのセンサが設けられている場合、その計数の精度はセンサの信頼性としてのみ正確であるということを本発明者は認識している。本発明は、センサが正しく機能しているか否かを識別するための単純かつ便利な手段を提供するが、それは、誤作動するセンサは物品の欠如ではなく物品の存在を「検出」する傾向が多いという認識から出発している。したがって、センサにとって不可視の１つ以上のブランク空間を配設することにより、コンベヤの容器内にｎ−ｍ個の物品ではなくｎ個の物品をセンサが「検出」する、誤作動しているセンサを識別することが可能となる。
【００１２】
いくつかの実施形態において、搬送部材は、容器を略環状の経路で搬送するように構成されている。
【００１３】
好ましくは、物品を受け入れるための容器の各々は、略同一サイズの単一の物品を受け入れるように構成されている。
【００１４】
いくつかの実施形態において、ブランク容器は、例えばバッフルによって差動解除される容器を備えている。好ましくは、そのようなバッフルは容器の１以上の画定壁と一体的に形成されている。
【００１５】
好ましくは、センサは光電セルを備えている。いくつかの実施形態において、ブランク容器に含まれたバッフルは、少なくとも光電セルによって検出可能な光の波長範囲に対して透明である。赤外線が光電セルに対して検出可能であることが好ましい。
【００１６】
好ましくは、装置はさらに、計量分配されるべき物品の格納用の格納室が収容される、または収容可能であるハウジングを備えている。好ましくは、格納室はハウジング内に解除可能に係合する着脱可能なカセット内に配設されている。
【００１７】
装置が、コンベヤによって格納室から供給された物品を収集し保持するための計量配分室をも備えていることが好ましく、この計量配分室は計量配分出口を含んでいる。計量配分出口は好ましくは、計量配分室に保持された薬剤を計量配分するために選択的に開放可能である。いくつかの実施形態において、計量配分室は、計量配分出口が閉鎖されている第１の位置と、計量配分出口が開放されている第２の位置の間で選択的に移動可能である。計量配分器は、計量配分室の第１の位置と第２の位置の間での移動を生じさせるモータを含みうる。
【００１８】
いくつかの実施形態において、装置はさらに、センサからのデータを受信するように構成されたプロセッサを備え、データは、容器のうち１以上における物品の有無を示す。好ましくは、プロセッサは、センサがｎ個の容器がコンベヤを通過した時点で搬送されたｎ個の物品の存在を示した場合に、警告を出すように構成され、当該警告は、センサの誤作動を示すものである。警告は、可聴警告、振動する警告などの動的警告、書面の或いは図柄の警告などの視覚的警告または発光装置（例えば発光ダイオード）の照明のうち１以上を含みうる。
【００１９】
好ましくは、プロセッサは、センサが２以上（例えば３以上、４以上、５以上または６以上）の隣接する容器に物品を検出しなかった場合に警告を出すように構成される。
【００２０】
いくつかの実施形態において、プロセッサは、所定期間中および所定の時点で計量分配された物品の個数を示す情報を計算し格納するように構成されている。
【００２１】
好ましくは、装置は容器を受け入れ位置と計量配分位置の間で搬送するようにコンベヤを作動させるモータを備えている。モータは好ましくは、コンベヤを、受け入れ位置から計量配分位置方向に向けて、コンベヤの有効長さの１／ｎ増加分だけ移動させるように動作可能である。モータは、プロセッサと通信状態に、かつ少なくとも部分的にプロセッサによって制御可能に配置されていることが好ましい。特に、プロセッサは、１以上の所定時点に所定数の物品を計量配分するようにモータを作動させるよう構成されていることが好ましい。
【００２２】
プロセッサは、計量分配されるべき物品の個数と、それらの物品が計量分配されるべき１以上の時間を提供するようにプログラム可能であってもよい。例えば、プロセッサは、統合されたキーボードまたはグラフィカルユーザインターフェースによって、または遠隔の第２のプロセッサ（例えばパーソナルコンピュータまたはサーバ）との通信によってプログラム可能であってよい。
【００２３】
いくつかの実施形態において、プロセッサは、物品を一切計量配分せずに、モータを作動させることで検出器を通過するようにｎ個の容器を移動させ、（ｉ）装置によって計量分配される残りの物品の個数と（ｉｉ）センサの機能のうち一方または両方を示すデータを提供するように容器内に保持された物品の個数を評価することを含むテストルーチンを実行するように構成されている。好ましくは、プロセッサは、物品の計量配分が予定されていない時間にテストルーチンを実行するように構成されている。
【００２４】
別の態様において、本発明は投薬計量配分装置を提供し、投薬計量配分装置は、
ｎ個の容器を備え、そのうちｎ−ｍ個が物品を受け入れるために適切であり、容器が物品受け入れ位置と物品計量分配位置の間で移動可能である搬送部材と、
受け入れ位置と計量配分位置の間に配置され、容器内の物品の存在を感知するセンサとを備え、
前記容器のうちｍ個は物品を受け入れることができないブランク容器であり、ｎ個の容器がコンベヤを通過した時点の搬送された検出可能な物品の最大数がｎ−ｍ個となるように、センサは空容器とブランク容器を区別できず、ｍは少なくとも１であり、装置は、複数の個別の薬剤を備えた物品を計量配分するためのものである。
【００２５】
好ましくは、装置は複数の個別の薬理活性錠剤を包含する。錠剤の意図される投薬はｎ−ｍ個より多い錠剤を含んでいることが好ましい。
【００２６】
別の態様において、装置は本明細書に記載される装置で使用されるように適合された薬剤の複数の個別の単位を収容する。
【００２７】
好ましくは、装置は予め規定された期間内で物品の所定の最大数まで計量配分する（例えばプロセッサの適切なプログラミングによって）ように構成されている。末端使用者に薬剤を計量配分するために装置が使用されている場合、例えば、薬剤師またはその他の医療従事者は、装置が偶発的または意図的な過量投薬を防止できるように、処方された投薬に装置をプログラムできる。
【００２８】
別の態様において、本発明はセンサ（例えば本明細書に記載される装置における）の故障を識別する方法を提供し、当該方法は、
（ｉ）センサを通過するようにｎ個の容器を移動させることで、物品を収容している容器の個数を検出する工程と、ここで、前記容器のうちｎ−ｍ個は物品を保持するのに適しており、物品を保持するのに適していないｍ個の容器は、物品を保持するのに適した空の容器との区別がつかず、
（ｉｉ）物品を収容しているものとして検出された容器の個数がｎ−ｍ個より多い場合に使用者に警告を与える工程と、を含む。
【００２９】
いくつかの実施形態では、方法の実施において容器から物品が全く計量分配されない。
【００３０】
いくつかの実施形態において、方法はさらに、２以上（例えば３以上、４以上、５以上または６以上）の隣接した容器に物品が全く検出されない場合に使用者に警告を与える工程を含む。
【００３１】
別の態様において、本発明は、装置（上記に説明した装置等）から物品を計量配分する方法を提供し、当該方法は、
（ｉ）ｎ個の容器を受け入れ位置から計量配分位置に移動させる工程と、ここで、前記容器のうちｎ−ｍ個は物品を保持するのに適しており、物品を保持するのに適していないｍ個の容器は、物品を保持するのに適した空容器と同等なものとしてセンサにより検出可能とされ、前記センサは、前記受け入れ位置と前記計量配分位置の間に位置決めされ、
（ｉｉ）センサを用いて、物品を収容している容器の個数を検出する工程と、
（ｉｉｉ）物品を収容しているものとして検出された容器の個数がｎ−ｍ個より多い場合に使用者に警告を与える工程と、を含む。
【００３２】
別の態様において、本発明は、所定の投薬体制に従うために、装置（上記に説明した装置等）から個別の薬剤を計量配分する方法を提供し、当該方法は、
（ｉ）ｎ個の容器を受け入れ位置から計量配分位置に移動させる工程と、ここで、前記容器のうちｎ−ｍ個は個別の薬剤を保持するのに適しており、物品を保持するのに適していないｍ個の容器は、センサによって個別の薬剤を保持するのに適した容器との区別がつかず、前記センサは、受け入れ位置と計量配分位置の間に位置決めされ、
（ｉｉ）センサを用いて、個別の薬剤を収容している容器の個数を検出する工程と、
（ｉｉｉ）個別の薬剤を収容しているものとして検出された容器の個数がｎ−ｍ個より多い場合に使用者に警告を与える工程と、を含む。
【００３３】
好ましくは、方法は、物品を所定期間中に所定の最大数まで計量配分することを含む。末端使用者に薬剤を計量配分するために装置が使用されている場合、例えば、薬剤師またはその他の医療従事者は、装置が偶発的または意図的な過量投薬を防止できるように、処方された投薬になるよう装置をプログラムできる。
【００３４】
別の態様において、本発明は、本明細書に記載された装置に組み込まれた場合に上記に説明した方法を実行するように構成されたハードウェアモジュールを提供する。ハードウェアモジュールは例えば、チップまたはグラフィック処理ユニット（ＧＰＵ）を備えうる。
【００３５】
コンピュータ上で実行されたときに、当該コンピュータに、回路、コントローラ、コンバータまたは本明細書に開示される装置を含む任意の装置を構成させる、または本明細書に開示される方法を実行させるコンピュータプログラムが提供されてもよい。このコンピュータプログラムはソフトウェアによる実施であってよく、コンピュータは、非限定的な例として、デジタル信号プロセッサ、マイクロコントローラ、リードオンリーメモリ（ＲＯＭ）での実施、消去可能なプログラマブルリードオンリーメモリ（ＥＰＲＯＭ）、電子的に消去可能なプログラマブルリードオンリーメモリ（ＥＥＰＲＯＭ）を含む任意の適切なハードウェアとして考慮されうる。
【００３６】
コンピュータプログラムは、ディスクまたはメモリ装置等の物理的なコンピュータ読取可能媒体でありうるコンピュータ読取可能媒体上で提供されてもよいし、または、一時的な信号として実現されてもよい。そのような一時的信号は、インターネットからのダウンロードを含むネットワークからのダウンロードであってもよい。
【００３７】
いくつかの実施形態において、プロセッサは、使用者を促して１以上の所定の時点において所定単位数の薬剤を計量配分するために投薬計量配分装置を作動させるようにプログラム可能である。
【００３８】
装置は、使用者に情報を表示するためのディスプレイを含んでいてもよく、ディスプレイは、投薬計量配分装置に、例えば時間、薬物療法および／または投薬サイズを表示させることを可能にする。
【００３９】
また装置は好ましくは、コントローラにデータを入力し、入力されたデータに従って投薬計量配分装置の動作を行わせるデータ入力装置を含む。
【００４０】
データ入力装置の配設は、使用者が、例えば使用者の症状によって投薬計量配分装置の動作に影響を与えることを可能にする。
【００４１】
好ましくは、ディスプレイとデータ入力装置は、タッチ感応画面の形式で配設される。
【００４２】
そのような実施形態では、データ入力を促進するために画面上にビジュアルアナログスケール（ＶＡＳ）が選択的に表示されてもよく、ビジュアルアナログスケール（ＶＡＳ）は、投薬計量配分装置が１以上の物品を計量配分するときに画面上に表示されうる。
【００４３】
特に好ましい実施形態において、装置は、提供された投薬時間および投薬サイズを記憶し、それにより電子的ログ機能を維持するメモリを含む。これは、投薬のコンプライアンスを監視するために使用されうる。そのような実施形態において投薬計量配分装置は、必ずしも入力装置を必要としないであろう。
【００４４】
投薬計量配分装置は、音響または光を出力する、および／または計量配分装置を１以上の所定時点で振動させる設定可能なアラームを含みうる。これは、要求される数の薬剤を確実に計量配分する使用者を支援し、また、使用者の薬剤の投薬を、薬剤に関連する治療濃度域内にする。
【００４５】
物品の、違法なまたは不正な計量配分を防止するために、装置はロック機構を含んでいてもよい。例えば、子供が計量配分装置から薬剤を投薬して計量配分するリスクを低減する。
【００４６】
格納室がカセットの形式で配設されている実施形態において、カセットは読取可能なマーカーを含んでもよく、装置内のプロセッサは、カセットのマーカーを読み取る読取機を含んでもよく、カセットに収容されている物品（例えば薬剤）をコントローラが識別可能である。
【００４７】
この構成では、コントローラは、各動作モードが１つの特定の物品に特有であるいくつかの所定の動作モードで機能し、次に、カセットに収容されている物品をコントローラが識別した後では、カセットに収容されている物品に適用されるべき動作モードを選択するように予備プログラムされうる。
【００４８】
本発明の好ましい実施形態を以下に、非限定的な例として、添付の図面を参照して説明する。
【図面の簡単な説明】
【００４９】
【図１】本発明の一実施形態による投薬計量配分装置を示す。
【図２】本発明の一実施形態による投薬計量配分装置を示す。
【図３】図１および図２の携帯式投薬計量配分装置のカセットの断面図である。
【図４】図１および図２の投薬計量配分装置で使用する供給ホイールの図である。
【図５Ａ】供給ホイールを検査するセンサの動作を示す。
【図５Ｂ】供給ホイールを検査するセンサの動作を示す。
【図５Ｃ】供給ホイールを検査するセンサの動作を示す。
【図６】図１および図２の携帯式投薬計量配分装置の内部制御を示す。
【図７】図１および図２の携帯式投薬計量配分装置の内部制御を示す。
【図８Ａ】カセットの計量配分器の計量配分室動作を示す。
【図８Ｂ】カセットの計量配分器の計量配分室動作を示す。
【図９】図１および図２の携帯式投薬計量配分装置の駆動モータの前方透視図である。
【図１０】図１および図２の携帯式投薬計量配分装置の駆動モータの後方透視図である。
【発明を実施するための形態】
【００５０】
図１および図２に、本発明の一実施形態による投薬計量配分装置１０が示されている。
【００５１】
投薬計量配分装置１０は、例えば、携帯電話等の携帯式装置とサイズが同等であってよく、それにより投薬計量配分装置１０を携帯式装置としての使用向けに適切にしている。別の実施形態において、投薬計量配分装置１０のサイズと形状は、投薬計量配分装置１０を、例えば機敏さに制約がある使用者に適したものにするために可変でありうることが想定されている。装置１０は固定された場所で使用されるためのサイズと設計であってもよい。
【００５２】
投薬計量配分装置１０はハウジング１２を含み、ハウジング１２は個別の薬剤１６または錠剤を格納する格納室１４と、格納室１４と計量配分器２０の間に配置された供給アセンブリ１８とを含む。いくつかの実施形態において、投薬計量配分装置１０は、格納室１４に格納された薬剤１６を攪拌するための、格納室１４に作動的に関連づけられたインパクタ２２（図３）をも含む。
【００５３】
図３から見て取れるように、インパクタ２２は、一端２６において格納室１４内側の壁２８に固定して接続された剛性要素２４を含む。インパクタ２２は、第２の端部３０において駆動機構３２に作動的に関連付けられ、駆動機構３２は、インパクタ２２の第２の端部３０を格納室１４の壁２８のほうに偏向させてインパクタ２２を緊張させ、その結果、緊張したインパクタ２２が解除されたときに格納室１４の内部３４のほうに移動してその中に格納されている薬剤１６に再び衝撃を与える。
【００５４】
図１および２に示した実施形態において、投薬計量配分装置１０は、ハウジング１２に解除可能に係合する着脱可能なカセット３６内に設けられた格納室１４を含む。
【００５５】
本発明の別の実施形態において、格納室１４はハウジング１２内に恒久的に配置されてよく、ハウジング１２は、格納室１４の再充填を可能にするために格納室１４へのアクセスを可能にする開口部を含むことが想定されている。
【００５６】
ハウジング１２とカセット３６は、カセット３６をハウジング１２内に保持するために、カセット３６がハウジング１２内に挿入されると相互係合する相互係合可能な掛止部材を含みうる。投薬計量配分装置１０は、掛止部材を係合解除するために選択的に動作可能な、カセット３６のハウジング１２からの取り外しを可能にする排出機構をも含む。
【００５７】
これは、ハウジング１２内に受け入れられたときに、ハウジング１２の隣接する外面４０とぴったり接して着座する外面３８を有するカセット３６の配設を可能にし、それが投薬計量配分装置１０の外観を増強する。
【００５８】
掛止部材は、カセット３６の上面４４に設けられカセット３６のハウジング１２からの抜き差し方向に延出する細長い突部４２を含む。
【００５９】
掛止部材は、ハウジング１２の上面５０の内面４８に設けられた対応する形状およびサイズの開口部４６（図９および図１０）をも含む。開口部４６は、カセット３６上に設けられた突部４２と整合するように内面４８上に配置されている。カセット３６がハウジング１２内に完全に挿入されると、締りばめが形成されて、カセット３６がハウジング１２から滑動して戻ることが防止される。
【００６０】
別の実施形態において、当技術分野で知られうる、カセット３６を装置１０に固定するための別の手段が使用されうる。
【００６１】
図１および２に示された実施形態において、計量配分器２０は、個々の錠剤１６を格納室１４から供給アセンブリ１８を介して収集し保持するための計量配分室７２（図８Ａおよび８Ｂ）を含む。計量配分室７２は、計量配分室７２内に保持された薬剤１６を計量配分するために選択的に開放可能な計量配分出口７４を含む。
【００６２】
計量配分器２０はカセット３６の一部を形成し、計量配分室７２は、計量配分出口７４が閉鎖されている第１の位置（図８Ａ）と、計量配分出口７４が開放されている第２の位置（図８Ｂ）との間で移動可能である。
【００６３】
計量配分室７２の第１の位置において、計量配分出口７４はカセット３６の底壁７６と整合し、底壁７６はそれにより計量配分出口７４を閉鎖する。
【００６４】
計量配分室７２の第２の位置において、計量配分出口７４は、カセット３６の底壁７６に設けられた開口部７８と整合し、開口部７８はそれにより計量配分出口７４を開放する。
【００６５】
計量配分室７２の、その第１の位置と第２の位置の間の移動は、駆動部材８２（図６および７）の第１と第２の方向への線状移動を駆動するように動作可能な第１の駆動モータ８０（図７）によって生じる。駆動部材８２は、カセット３６の側壁９２に設けられたスロット９０を介して計量配分室７２から突出するペグ８８を受け入れるための凹部８４を、自由端８６に画定する。駆動部材８２とペグ８８との係合により駆動部材８２の移動は、ペグ８８のスロット９０の一端から他端へ往復移動を引き起こし、それにより計量配分室７２の第１の位置から第２の位置への往復移動をもたらす。
【００６６】
別の実施形態においては、計量配分器２０が計量配分室７２を含まず、供給アセンブリ１８が、計量配分器２０の恒久的に開放された計量配分出口７４へと薬剤１６を直接供給してもよいことが想定されている。
【００６７】
供給アセンブリ１８はその周囲に複数の供給ポケット９６を画定する供給ホイール９４（図２）を含む。図１および２に示された実施形態において、供給ホイール９４は格納室１４と計量配分器２０の間におけるカセット３６に配置され、７個のポケット９６と１個のブランクポケット９７を備えている。
【００６８】
供給ホイール９４は図４でより詳細に示されており、１つの中央ハブ９３と、数対の等分に離間した半径方向に対して平行に延出する指片９５とを備えている。指片９５の間にポケット９６が形成される。ポケット９６は、単一の錠剤１６を収容するためのサイズである。ブランクポケット９７はポケット９６と同じ寸法であるが、供給ホイール９４のその部分に錠剤１６を受け入れるおよび／または収容するためのバッフルとして働く一対の半径方向に延出する突片９９から形成される。
【００６９】
供給ホイール９４は、図４に矢印Ａで描かれた第１の方向に回転するように取り付けられ、供給ポケット９６を格納室１４の供給経路９８と整合するように逐次動かして各ポケットが一つの薬剤１６を受け入れるようにする。
【００７０】
供給ホイール９４が第１の方向にさらに回転すると、供給ポケット９６は、各薬剤１６を計量配分器２０の計量配分室７２に供給するために、計量配分器２０の計量配分室７２の入口と整合するように逐次動かされる。
【００７１】
投薬計量配分装置１０は、供給ホイール９４を回転させるように駆動する第２の駆動モータ１００（図６、７、９および１０）を含み、第２の駆動モータ１００はハウジング１２の上面５０の内面４８に取り付けられている。
【００７２】
ハウジング１２の内部空隙５８にカセット３６を挿入すると、駆動ギア１０２（図９）が、カセット３６の上面４４から突出する駆動軸１０４（図８Ａおよび８Ｂ）を係合する。
【００７３】
駆動軸１０４は、段部１１０、１１２で終端する傾斜した縁１０６、１０８を画定するために形成されている（図８Ａおよび８Ｂ）。
【００７４】
駆動ギア１０２は細長い突片１１４を含み、突片１１４は、段部１１０、１１２に係合し、また、第２の駆動モータ１００が第１の方向に回転すると、駆動軸１０４を回転させるように駆動する。次にこれが供給ホイール９４を第１の方向に回転させる。
【００７５】
図６、７、９および１０から見て取れるように、第２の駆動モータ１００は電気的接触子１１６を備えている。これらの電気的接触子１１６は、カセット３６がハウジング１２の内部空隙５８に挿入されるとカセット３６上の対応する接触子（図示せず）に係合する。
【００７６】
図１および２に示された実施形態において、駆動軸１０４は、カセット３６がハウジングから取り外されたときに、供給ホイール９４の第１の方向への回転を生じさせるために手動で操作可能である。そのような操作は、例えば、格納室１４内に収容されている薬剤の投薬を準備し計量配分するために使用者が投薬計量配分装置１０を操作することを妨げる故障が投薬計量配分装置１０内に起こった場合に、使用者がカセット３６の格納室１４から薬剤１６を供給することを可能にする。
【００７７】
薬剤１６への不正または違法のアクセスを防止することが望ましい別の実施形態において、カセット３６が投薬計量配分装置１０のハウジング１２内に装着されている場合にのみ薬剤１６がアクセスされうるように、駆動軸１０４は手動回転しないようにロックされてもよい。そのような実施形態においてカセット３６は、カセット３６の格納室１４内に格納された如何なる薬剤１６への不正なアクセスをも防止するために密封されてもよい。
【００７８】
投薬計量配分装置１０は、薬剤１６が計量配分室７２へと通過するときに供給ホイール９４の供給ポケット９６内の薬剤１６の存在を検出するための、計量配分室７２の入口に相対して配置された赤外線光電セル１１７（図１０）の形態のセンサを含む。ブランクポケット９７を形成する突片９９は、光電セル１１７には不可視の材料で形成されている。したがって、ブランクポケット９７が光電セル１１７に提示されると、光電セル１７７はブランクポケット９７と空のポケット９６を区別できない。センサ１１７は、ポケット内の錠剤の有無に関する情報によって制御され、またその情報をプロセッサ（図示せず）に供給し、プロセッサはそれを受けて供給ホイール９４の回転を制御する。
【００７９】
供給ホイール９４の供給ポケット９６内の錠剤の存在を検出するとき、センサ１１７は、それらの供給ホイール９４の供給ポケット９６から計量配分室７２へと移動する薬剤１６の動きを有効に監視する。センサ１１７からプロセッサへと提供された情報は、第２の駆動モータ１００の動きを制御して、所定数の薬剤１６を計量配分器２０に供給するように供給ホイール９４を第１の方向に駆動する。
【００８０】
センサは、格納室１４が空であることを投薬計量配分装置１０が判断することも可能にする。
【００８１】
使用時、第２の駆動モータ１００は、供給ポケット９６を介してカセット３６の格納室１４から薬剤１６を計量配分室７２に供給するために供給ホイール９４を回転させるように駆動する。
【００８２】
この動きの間、光電セル１１７は、計量配分室７２に供給された薬剤１６の個数を投薬計量配分装置１０が判断できることを可能にするように計量配分室７２の入口に相対して配置されている。
【００８３】
第２の駆動モータ１００は、必要な個数の薬剤１６が計量配分室７２に供給されたことを投薬計量配分装置１０が光電セル１１７を介して判断するまで供給ホイール９４の回転の駆動を継続するように制御され、必要な個数の薬剤１６が供給された時点で第２の駆動モータ１００は供給ホイール９４の回転の駆動を停止する。
【００８４】
この構成は、必要な個数の薬剤１６が計量配分室７２に供給されるまで、供給ホイール９４が薬剤１６を計量配分室７２に送出するために回転し続けるということを意味する。それにより、供給ホイール９４の回転中に、供給ポケット９６の１つが格納室１４から計量配分室７２への薬剤１６の受取りと供給を実行できなかったか否かに関らず、必要な個数の薬剤１６が計量配分室７２に供給されることを保証する。
【００８５】
光電セル１１７が、供給ホイール９４の回転中に所定数を超えるいくつかの連続した空の供給ポケット９６を識別した場合、投薬計量配分装置１０は、格納室１４が空であることを判断してよい。
【００８６】
好ましくは、投薬計量配分装置１０は、供給ホイール９４の回転中に計量配分室７２の入口に整合した６以上の連続した空の供給ポケット９６を光電セル１１７が識別した場合に格納室１４が空であると判断する。
【００８７】
別の実施形態において、薬剤１６の性質によって、また、薬剤１６が格納室１４から供給ポケット９６へと移動する容易さによって、格納室１４が空か否かを判断するために必要とされる連続した空の供給ポケットの所定数は増減しうる。
【００８８】
ブランクポケット９７の存在は、プロセッサが、光電セル１１７が正しく作動しているかまたは誤作動しているかを判断することを可能にする。図５はこの効果を模式的に示す。
【００８９】
図５Ａは、錠剤を収容していない場合の供給ホイール９４を示す。供給ホイール９４が完全回転すると、光電セル１１７は、正しく機能していれば錠剤を検出しないが、誤作動していれば８個の錠剤を検出する。
【００９０】
図５Ｂは、そのポケット９６のうち４つに錠剤を１個ずつ収容している供給ホイール９４を示す。供給ホイール９４が完全回転すると、光電セル１１７は、正しく機能していれば４個の錠剤を検出するが、誤作動していれば８個の錠剤を検出する。
【００９１】
図５Ｃは、ブランクポケット９７以外のそのポケット９６のうち７個全てに錠剤を１個ずつ収容している供給ホイール９４を示す。供給ホイール９４が完全回転すると、光電セル１１７は、正しく機能していれば７個の錠剤を検出するが、誤作動していれば８個の錠剤を検出する。
【００９２】
したがって、プロセッサは、光電セル１１７が供給ホイール９４のポケット９６、９７内に８個の錠剤を「検出」した場合に使用者に警告を提供するようにプログラムされている。警告は好ましくは、装置１０（図２および３参照）の前方の画面１３４に現れる書面メッセージおよび／または図柄のイメージの形態で現れるが、付加的にまたは別法として発光ダイオード（ＬＥＤ）などの光の形態および／または可聴警告でもよい。警告はセンサの誤作動に関して使用者の注意を喚起し、使用者が装置の修理または交換を求めることを可能にする。
【００９３】
プロセッサは、例えば３以上の連続したポケット９６に錠剤１が全く検出されない場合に警告を提供するようにもプログラムされてよい。この警告は、上記に説明したように空の格納室１４またはセンサ１１７の誤作動のいずれかを示しうる。格納室１４に最初に導入される錠剤１６の個数がプロセッサにプログラムされ、プロセッサが計量分配された錠剤１６の累計数を記録するいくつかの実施形態において、連続したポケット９６が空であると判明した場合にプロセッサはセンサ１１７の誤作動に関する特定の警告を提供しうる。
【００９４】
格納室１４が空になった後に、または、患者がカセット３６を、別の薬剤を収容したカセット３６と交換したい場合或いはカセット３６内に収容された薬剤に直接アクセスしたい場合に早期にカセット３６を排出するために、第２の駆動モータ１００が第２の反対の方向に駆動されうる。
【００９５】
第２の駆動モータ１００の反対方向への回転は、駆動軸１０４上の傾斜した縁１０６、１０８に沿った突片１１４の並進運動を引き起こす。駆動ギア１０２はハウジング１２の上面５０に対して固定されているため、傾斜した縁１０６、１０８に沿った突片１１４の移動は、ハウジング１２の上面５０の内面４８から遠ざかる方向へのカセット３６の移動を引き起こす。次にこの移動は突部４２を開口部４６との係合から外すように動かし、付勢部材６８内に配置された圧縮されたばねによってもたらされる付勢力が、カセット３６を外側方向に押し、それによりカセット３６をハウジング１２から排出する。
【００９６】
別の実施形態において、カセット３６は手動で装置１０から排出されうる。
【００９７】
カセット３６が排出されると、使用者は、投薬計量配分装置１０内に収容された薬剤の供給を補充または変更するために、交換用カセット３６を投薬計量配分装置１０に挿入できる。
【００９８】
別の実施形態において、第２の駆動モータ１００は、カセット３６の格納室１４が空であることをセンサが判断した後でのみ第２の反対の方向に駆動されうることが想定されている。そのような実施形態において、排出機構の制御された作動が、カセット３６の格納室１４内に格納された薬剤１６への不正または違法なアクセスを防止する。
【００９９】
そのような実施形態において、ハウジング１２の外面４０付近にぴったり接しているカセット３６の外面３８の配設は、誰かがカセット３６をハウジング１２から無理に外そうと試みる可能性を減らすという点で有利である。
【０１００】
図１および２に示された実施形態において、供給ホイール９４は、インパクタ２２の第２の端部３０が作動的に関連付けられる駆動機構３２を規定する。
【０１０１】
特に、上記に説明したように、供給ホイール９４は複数の同距離に離間した、半径方向に延出する対の平行な指片９５を含み、隣接した指片９５の間に供給ポケット９６が規定される。
【０１０２】
各指片９５の長さは、供給ホイール９４の第１の方向への回転が、各指片９５をインパクタ２２の第２の端部３０の前面と逐次係合するように動かすようなものになっている。供給ホイール９４の継続した回転は、インパクタ２２の第２の端部３０との係合から指片９５が外れるまで対応する指片９５が前面を横断して移動するにつれて、インパクタ２２の第２の端部３０の、格納室１４の壁２８のほうへの偏向を引き起こす。これは、その内容全体が本明細書に組み込まれている国際公開第２０１０／０６０５６８号パンフレットに記載された方式でインパクタを駆動する。
【０１０３】
図１および２に示された投薬計量配分装置１０に含まれるプロセッサは、一日を通して１以上の所定の時間に使用者に薬剤１６を計量配分するよう促すようにプログラム可能である。
【０１０４】
その所定の時間、または各所定時間において、コントローラは、投薬計量配分装置１０内に配設されたアラームを作動させて音響または光を発する、および／または、投薬計量配分装置１０を振動させ、使用者に、薬剤１６を計量配分させ、自分の薬剤の投薬を、製剤に関連する治療濃度域で摂取させるように警告する。
【０１０５】
使用者が最初のアラームに応答しない場合、コントローラは、第１のアラームから所定時間内に１以上のさらなるアラームを発するようにプログラムされてよい。
【０１０６】
使用者が薬剤１６を計量配分する必要を警告されたとき、ハウジング１２の上面５０の外面１３６上に設けられたディスプレイ１３４に送達されるメッセージは、データ入力装置を介して投薬計量配分装置１０にコードを入力するよう使用者を促す。
【０１０７】
図１および２に示された実施形態において、ディスプレイ１３４は、データ入力装置としても機能するタッチ感応画面の形式で提供される。
【０１０８】
正しいコードを入力すると、投薬計量配分装置１０はロック解除され、ディスプレイ１３４上に配されるメッセージにより投薬計量配分装置１０を作動させて所定数の薬剤１６を計量配分室７２に供給するように使用者を促すか、または必要な薬剤の投薬を識別するように使用者に促す。
【０１０９】
別の実施形態において、データ入力装置が、ハウジング１２の上面５０の外面１３６に搭載されたキーパッドの形態で提供されうることが想定される。
【０１１０】
別の実施形態において、ロックが省略されることも想定される。
【０１１１】
使用者からの必要な応答を受けて、コントローラは第２の駆動モータ１００を作動させることで供給ホイール９４を作動させ、使用者に必要な薬剤の投薬を提供する計量配分室７２に必要個数の薬剤１６を供給する。
【０１１２】
計量配分室７２に薬剤１６を供給する供給ホイール９４の作動中に、好ましくは光電セルの形態で配設されるセンサは、供給ホイール９４から計量配分室７２内に通過する各薬剤１６の動きを感知する。これによりコントローラが計量配分室７２に供給される薬剤１６の数を計数できる。
【０１１３】
計量配分室７２に供給された必要な個数の薬剤１６をセンサが計数し終えると、コントローラは第２の駆動モータ１００の作動を停止し、それにより供給ホイール９４の作動を停止させる。
【０１１４】
すると、計量配分器２０の計量配分出口７４を開放し、計量配分室７２内に保持された薬剤の投薬を使用者に計量配分するために、第１のモータ８０が作動されて、計量配分室７２をその第１の位置から第２の位置に移動させる。
【０１１５】
別の実施形態において、投薬計量配分装置１０は、投薬計量配分装置１０がロック解除された後は、所定数の薬剤１６を計量配分室７２に自動的に供給することが想定される。
【０１１６】
コントローラはさらに、使用者に、自分が経験している任意の症状の性質に関する質問にデータ入力装置を介して応答するよう促すために、第２の駆動モータ１００の作動前、作動中または作動後にメッセージを表示してもよい。
【０１１７】
図１および２に示す、ディスプレイ１３４がタッチ感応画面である実施形態において、これらの質問に対する応答は、ディスプレイ１３４上に表示されたビジュアルアナログスケール（ＶＡＳ）を介して入力されうる。これは、使用者が、痛みのレベルに関する情報を、例えば、無痛を意味する０から耐え難い痛みを意味する１０までの直線スケールを用いて提供することを可能にする。
【０１１８】
データ入力装置を介して提供された、課された質問に対する患者からの情報は、投薬計量配分装置１０内に設けられたメモリに記憶され、投薬計量配分装置１０のディスプレイ１３４で、または、例えばＵＳＢポートを介して投薬計量配分装置１０をコンピュータに接続することによってアクセスされうる。
【０１１９】
この設備によって、使用者および使用者の医師が、薬物摂取時の使用者の症状を監視することができるため、投薬判断プロセスにおいて使用者と医師にとって特に有益でありうる。
【０１２０】
使用者によって入力されたデータを記憶することに加えて、投薬計量配分装置１０に設けられたメモリは、投薬計量配分装置１０が薬剤の投薬を準備し、その投薬の計量配分するために作動した時間を記録してもよい。メモリは、薬剤１６の個数に関して、投薬が準備され計量分配される度に記録してもよい。この情報は、投薬計量配分装置１０をコンピュータに接続することによってアクセスされうる電子的ログを提供し、投薬コンプライアンスを監視する手段を提供する。
【０１２１】
図示されていない実施形態において、カセット３６は、カセット３６の格納室１４内に収容された薬剤を識別する読み取り可能なマーカー（図示せず）を含む。投薬計量配分装置１０のハウジング１２の内側空洞５８内に設けられた読み取り機は、カセット３６が内部空隙５８に挿入されると読み取り可能なマーカーを読み取り、投薬計量配分装置１０内のプロセッサが薬剤を識別することを可能にする。この読み取り可能なマーカーはさらに、カセット内の薬剤量をプロセッサに知らせることもできる。
【０１２２】
そのような実施形態において、コントローラは、各作動モードが特定の薬剤に特有であるいくつかの所定の作動モードで機能し、次に、カセット３６に収容されている薬剤を識別した後は、カセット３６に収容されている薬剤に適用可能な作動モードを選択するようにプログラムされうる。
【０１２３】
読み取り可能なマーカーの配設は、カセット内に収容された薬剤が、必要な個数の薬剤１６を投薬計量配分装置１０が計量配分室７２に単一の操作で供給するには不十分である場合に有利である。そのような状況では、計量配分室７２内に保持された薬剤１６を計量配分するために計量配分器２０の計量配分出口７４が開放され、空のカセット３６が交換用カセット３６と交換されてもよい。コントローラは、投薬を完了するために必要な薬剤１６を計量配分室７２に供給することを継続するように第２の駆動モータ１００を作動させる前に、交換用カセット３６が同じ薬剤を収容していることを検査してもよい。好ましくは、そのような状況では、ディスプレイ１３４は、空のカセット３６の交換前に計量配分室７２から計量分配された薬剤１６が不完全な投薬であることを明確に識別するメッセージを使用者に表示する。
【０１２４】
別の実施形態において、計量配分器２０が、カセット３６の代わりにハウジング１２の一部を形成することが想定される。そのような実施形態では、ハウジング１２内での計量配分室７２の配置が、空のカセット３６の交換前に不完全な投薬が計量分配されることを不必要にする。
【０１２５】
投薬計量配分装置１０から計量分配されるべき薬剤１６の個数は、必要とされる総投薬のサイズによって決定され、したがって、各薬剤１６内に含まれる有効成分または薬剤の量によって決定される。
【０１２６】
各薬剤１６に含まれる有効成分の量は、薬剤の性質と、過剰投与または過少投薬から起こる副作用によって選択されうる。例えば、過剰投与または過少投薬から起こる副作用が最小である各薬剤に含まれる有効成分の量は、副作用がより顕著である薬剤よりも多いであろう。これは、各薬剤に含まれる有効成分の量が多くなるほど、総投薬を微調整する可能性が低くなるからである。
【０１２７】
しかし、各薬剤が非常に低量の有効成分を含んでいる場合に、個々の薬剤の形式での比較的多数の部分的投薬を格納室１４に格納しなければならないことの結果に関して考慮しなければならない。
【０１２８】
したがって好ましくは、各薬剤は、いかなる場合でも一度に投薬計量配分装置１０から投与され計量分配される総投薬の重量の約２０％から２％を含んでいる。
【０１２９】
複数の薬剤は、錠剤またはペレットの形式で提供されてよく、また好ましくは、凹面のパンチの使用により造られる球形または近似球形形状を画定するために凸状または等直径の表面を有している。
【０１３０】
複数の薬剤が錠剤の形式で提供される状況において、錠剤は好ましくは１〜１３ｍｍの範囲、より好ましくは２〜８ｍｍの範囲、最も好ましくは２〜５ｍｍの範囲の直径を有している。
【０１３１】
複数の薬剤がペレットの形式で提供される状況において、ペレットは好ましくは１〜８ｍｍの範囲、最も好ましくは１〜４ｍｍの範囲のサイズを有している。
【０１３２】
いくつかの実施形態において、ギアホイール９４上のポケット９６の個数は、使用者が自分の必要な投薬を達成するために必要とする錠剤１の個数に合わせて調整される。例えば、通常計量分配される投薬が、供給ホイール９４上のポケットの個数よりも多い個数の錠剤１６で構成されている場合、装置はセンサ１１７の故障の検出をより適時に行える。このため、供給ホイールが、各計量配分動作において少なくとも１つの完全回転を完了することを保証する。しかし、別の実施形態において、装置は、供給ホイールの完全回転（ゆえに、センサ機能の検査）が２以上の計量分配イベントにわたって展開されることを可能にするメモリ（例えばプロセッサの一部を形成する）を備えている。
【０１３３】
センサ１１７の機能の検査は、錠剤１を計量配分せずに実行されうることも想定されている。そのような独立型検査機能は、センサが誤作動していることが判明した場合に、使用者が不正確な投薬に驚くことを防止するために、例えば錠剤の計量配分動作の前またはその間に実行されうる。この検査は、退縮可能なバッフル（図示せず）を計量配分位置に配設して、供給ホイール９４から計量配分器７２への錠剤１の通過を防止することによって実行されうる。バッフルの展開はプロセッサによって制御されうる。
【０１３４】
いくつかの実施形態において、独立型検査機能は自動的に実行されうる。例えば、プロセッサは所定（例えば定期的）時点で検査を実行するようにプログラムされうる。そのような時点は好ましくは、プロセッサが錠剤を計量配分するようにプログラムされた時点と同時または同様な時点ではない。付加的にまたは代替的に、検査は使用者の要求で、例えば検査ボタン（図示せず）の起動によって実行されてもよい。
【０１３５】
本発明の装置を、末端使用者に医薬を計量配分する背景において上記に説明してきたが、当業者ならば、そのような装置は、特に多数の個別の薬剤が１以上の容器に配置されることになっている場合の、薬剤師またはその他の医療専門家による医薬の計量配分にも有用であることを認識するであろう。そのような装置は、固定位置での使用に最適化するために、また、短期間に大量の個別の薬剤を計量配分する（例えば毎分１００個以上）ために、異なる全体構造を使用してもよい。
【０１３６】
実際、いくつかの実施形態において、製品の個数が正確に計数されることが必要でありかつ計数機構の誤作動を可能な限り速やかに検出することが望ましい工業的設置（例えば製造ライン）において、適切に改変した装置が利用されてもよい。当業者が理解するように、そのような製品の個数は医薬に限定されない。
【０１３７】
当業者は多くのその他の有効な代替案を思い付くであろうことに疑いはない。本発明が記載された実施形態に限定されないこと、また、本発明の趣旨および範囲内で当業者に明らかである改変を包含することが理解されよう。
【符号の説明】
【０１３８】
１０：投薬計量配分装置
１２：ハウジング
１４：格納室
１６：薬剤
１８：供給アセンブリ
２０：計量配分器
２２：インパクタ
２４：剛性要素
２６：一端
２８：壁
３０：インパクタの第２の端部
３２：駆動機構
３４：格納室の内部
３６：カセット
３８：外面
４０：ハウジングの外面
４２：細長い突部
４４：カセットの上面
４６：開口部
４８：内面
５０：ハウジングの上面
５８：ハウジングの内部空隙
６８：付勢部材
７２：計量配分室
７４：計量配分出口
７６：カセットの底壁
７８：開口部
８０：第１の駆動モータ
８２：駆動部材
８４：凹部
８６：自由端
８８：ペグ
９０：スロット
９２：カセットの側壁
９３：中央ハブ
９４：供給ホイール
９５：指片
９６：供給ポケット
９７：ブランクポケット
９８：供給経路
９９：突片
１００：第２の駆動モータ
１０２：駆動ギア
１０４：駆動軸
１０６，１０８：傾斜した縁
１１０，１１２：段部
１１４：細長い突片
１１６：電気的接触子
１１７：光電セル（センサ）
１３４：画面
１３６：ハウジングの上面の外面
【図１】
2016504141.tif 000003
【図２】
2016504141.tif 000004
【図３】
2016504141.tif 000005
【図４】
2016504141.tif 000006
【図５Ａ】
2016504141.tif 000007
【図５Ｂ】
2016504141.tif 000008
【図５Ｃ】
2016504141.tif 000009
【図６】
2016504141.tif 000010
【図７】
2016504141.tif 000011
【図８Ａ】
2016504141.tif 000012
【図８Ｂ】
2016504141.tif 000013
【図９】
2016504141.tif 000014
【図１０】
2016504141.tif 000015
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
物品を計量配分するための装置であって、
ｎ個の容器を備えた搬送部材と、ここで、ｎ−ｍ個の前記容器が物品を受け入れるのに適しており、前記容器は物品受け入れ位置と物品計量分配位置の間で移動可能であって、
前記容器内の物品の存在を感知し、前記受け入れ位置と前記計量配分位置との間に位置決めされたセンサと、
を備え、
ｍ個の前記容器は、物品を受け入れることができないブランク容器であり、
前記センサは、ｎ個の前記容器がセンサを通過した時点での搬送された検出可能な物品の最大数がｎ−ｍ個となるように、空容器を前記ブランク容器と同等であると検出するように構成されており、ここで、ｍは少なくとも１個である、装置。
【請求項２】
前記搬送部材は、前記容器を略環状の経路で搬送するように構成されている、請求項１に記載の装置。
【請求項３】
前記ブランク容器は、例えばバッフルにより作動解除される容器を備え、
前記バッフルは、好ましくは前記容器の１以上の画定壁と一体的に形成されている、請求項１または２に記載の装置。
【請求項４】
前記センサは、光電セルを備える、請求項１〜３のうちいずれか一項に記載の装置。
【請求項５】
前記ブランク容器に含まれたバッフルは、少なくとも前記光電セルにより検出可能な光の波長範囲に対して透明であって、及び／又は赤外線が前記光電セルに対して検出可能である、請求項１〜４のうちいずれか一項に記載の装置。
【請求項６】
計量分配されるべき物品格納用の格納室が収容または収納可能であるハウジングをさらに備え、
例えば、前記格納室は、前記ハウジング内に手動または自動で解除可能に係合する着脱可能なカセット内に配設されている、請求項１〜５のうちいずれか一項に記載の装置。
【請求項７】
前記容器のうち１以上における物品の有無を示す前記センサからのデータを受信するように構成されたプロセッサをさらに備える、請求項１〜６のうちいずれか一項に記載の装置。
【請求項８】
前記プロセッサは、前記センサがｎ個の容器が前記コンベヤを通過した時点で搬送されたｎ個の物品の存在を示した場合に警告を出すように構成されており、
当該警告はセンサの誤作動を示すものである、請求項７に記載の装置。
【請求項９】
前記警告は可聴警告、振動する警告などの動的警告、書面または図柄の警告などの視覚的警告または照明された発光装置のうち１以上を含む、請求項８に記載の装置。
【請求項１０】
前記プロセッサは、所定期間中および所定時点に計量分配された物品の個数を示す情報を計算し格納するように構成されている、請求項７〜９のうちいずれか一項に記載の装置。
【請求項１１】
前記容器を前記受け入れ位置と前記計量配分位置の間で搬送するように前記コンベヤを動作させるモータをさらに備え、
選択的に、前記モータは、前記コンベヤの有効長さの１／ｎ増加分だけ前記コンベヤを移動させるように作動可能であって、及び／又は、
前記モータは、前記プロセッサと通信状態に、かつ少なくとも部分的に前記プロセッサによって制御可能に配置され、及び／又は、
前記プロセッサは、１以上の所定時点に所定数の物品を計量分配するようにモータを作動させるよう構成され、及び／又は、
前記プロセッサは、計量分配されるべき物品の個数と、それらの物品が計量分配されるべき１以上の時間を提供するようにプログラム可能である、請求項１〜１０のうちいずれか一項に記載の装置。
【請求項１２】
前記プロセッサは、
物品を一切計量配分せずに、前記モータを作動させることで前記検出器を通過するようにｎ個の容器を移動させ、
（ｉ）装置によって計量分配される残りの物品の個数と（ｉｉ）センサの機能のうち一方または両方を示すデータを提供するように前記容器内に保持された物品の個数を評価する
ことを含むテストルーチンを実行するように構成されている請求項１１に記載の装置。
【請求項１３】
請求項１〜１２のうちいずれか一項に記載の装置を備え、前記物品は複数の個別の薬剤を含み、
前記装置は、複数の個別の薬剤を収容している、投薬計量配分装置。
【請求項１４】
（ｉ）センサを通過するようにｎ個の容器を移動させることで、物品を収容している当該容器の個数を検出する工程と、ここで、ｎ−ｍ個の前記容器が物品を保持するのに適しており、物品を保持するのに適していないｍ個の前記容器は、物品を保持するのに適した空容器と同等なものとして前記センサにより検出可能であって、
（ｉｉ）物品を収容しているものとして検出された前記容器の個数がｎ−ｍ個より多い場合に使用者に警告を与える工程と、
を含む、センサの故障を識別する方法。
【請求項１５】
（ｉ）ｎ個の容器を受け入れ位置から計量配分位置に移動させる工程と、ここで、ｎ−ｍ個の前記容器は物品を保持するのに適しており、物品を保持するのに適していないｍ個の容器は、物品を保持するのに適した空容器と同等なものとしてセンサにより検出可能とされ、前記センサは、前記受け入れ位置と前記計量配分位置の間に位置決めされ、
（ｉｉ）前記センサを用いて、物品を収容している前記容器の個数を検出する工程と、
（ｉｉｉ）物品を収容しているものとして検出された前記容器の個数がｎ−ｍ個より多い場合に使用者に警告を与える工程と、
を含む、装置から物品を計量配分する方法。
【請求項１６】
所定の最大数までの物品を所定期間中に計量配分する工程を含む、請求項１５に記載の方法。
【請求項１７】
例えば請求項１〜１３のうちいずれか一項に記載の装置に組み込まれた場合に、請求項１４〜１６のうちいずれか一項に記載の方法を実行するように構成されたハードウェアモジュール。
【請求項１８】
コンピュータ上で実行されたときに、前記コンピュータに、回路、コントローラ、コンバータまたは本明細書に開示される装置を含む装置を構成させる、
または請求項１４〜１６のうちいずれか一項に記載の方法を実行させるコンピュータプログラム。
【国際調査報告】
2016504141.tif 000016
2016504141.tif 000017
2016504141.tif 000018
2016504141.tif 000019